(57)【要約】【課題】  広告時に使用されるポスターや販促品等の広告媒体を一緒に搬送する場合に、別個に梱包する必要がなく、また、部品点数が減少して、組み立ても容易化するスタンド式ディスプレイ装置を提供する。【解決手段】  宣伝広告事項を表示しうる広告表示部と、上記広告表示部を目視しうる状態に支持しうる支持部と、上記支持部が上記広告表示部を支持した状態を保持しうる固定部とが、一体に、かつ折り畳み可能に形成され、折り畳むことにより内部に広告媒体を収納してそのまま搬送しうる形状に変化しうることを特徴とする。上記広告表示部として起立しうる正面板部が設けられ、上記支持部として上記正面板部の幅方向両側に左右の側面板部が設けられ、上記固定部として上記左右の側面板部を連結して固定しうる左右の背面板部とが一体に、かつ折り畳み可能に形成されている。【選択図】  図１
0003126895.tif 000002
【実用新案登録請求の範囲】
【請求項１】
宣伝広告事項を表示しうる広告表示部と、
上記広告表示部を目視しうる状態に支持しうる支持部と、
上記支持部が上記広告表示部を支持した状態を保持しうる固定部とが、一体に、かつ折り畳み可能に形成され、
上記広告表示部として起立しうる正面板部が設けられ、上記支持部として上記正面板部の幅方向両側に左右の側面板部が設けられ、上記固定部として上記左右の側面板部を連結して固定しうる左右の背面板部とが一体に、かつ折り畳み可能に形成されたことを特徴とするスタンド式ディスプレイ装置。
【請求項２】
上記正面板部は方形に形成され、上記左右の側面板部は上記正面板部の長さ方向に沿って上記正面板部の幅方向の左右両端において夫々略直角に後方へ折曲されて連設され、上記背面板部は左右の上記側面板部の幅方向の後端において夫々略直角に内方へ折曲されて連設され、左右の上記背面板部は互いに連結して係合しうるように形成されていることを特徴とする請求項１記載のスタンド式ディスプレイ装置。
【請求項３】
左右の上記背面板部は、上記左右の側面板部の長さ方向略中央部と下端部の上下２個所における幅方向両端部において夫々長さ方向に沿って、互いに重なり合うように設けられ、左右の上記背面板部のうちの一方には略コ字状の係止片部が設けられ、他方の背面板部には上記係止片部が挿入可能な係止孔部と、上記係止孔部に挿入された上記係止片部を抜け止めするロック片部が設けられたことを特徴とする請求項１又は２のいずれかに記載されたスタンド式ディスプレイ装置。
【請求項４】
上下２個所の上記背面板部の一方に設けられた上記係止片部、係止孔部及びロック片部と、他方の上記背面板部に設けられた上記係止片部、係止孔部及びロック片部は、互いに直交するように配置されていることを特徴とする請求項３記載のスタンド式ディスプレイ装置。
【請求項５】
上記正面板部が起立した状態において、左右の上記側面板部における下端部の後方には脚片部が延設されていることを特徴とする請求項１〜４のいずれか１項に記載されたスタンド式ディスプレイ装置。
【請求項６】
上記正面板部が起立した状態において、下端部の上記左右の側面板部間には、上記正面板部に対し略直角に折曲されて左右の側縁部が上記左右の側面板部の内面に当接すると共に、上記左右の側縁部に形成された突片部が上記左右の側面板部に形成された孔部に係合しうる底面板部が設けられていることを特徴とする請求項１〜５のいずれか１項に記載されたスタンド式ディスプレイ装置。
【請求項７】
折り畳み状態においては、略正方形の底面部、横長略長方形の前後左右の各側面部、及び前後左右の各蓋部を有して、内部に収納空間を有する箱状体が形成されることを特徴とする請求項１〜６のいずれか１項に記載されたスタンド式ディスプレイ装置。
【請求項８】
一枚の紙製の板状部材を折り曲げることにより組み立てられ、上記板状部材は展開状態において、中央部に上記正面板部が配置され、上記正面板部の幅方向における左右外方には夫々折曲線を介して長さ方向に沿って上記の左右側面板部が配置され、左右の上記側面板部の幅方向外方には長さ方向の略中央部と下端部の上下２個所に夫々折曲線を介して上記背面板部が延設され、上記背面板部には上記係止片部と上記ロック片部が切込線と折曲線とにより折り起こし可能に形成されると共に上記係止孔部が穿設され、上記正面板部の下端部には幅方向に沿って設けられた折曲線を介して、幅方向両端に僅かに外方へ傾斜した切込線を長さ方向に沿って有する上記底面板部が配置され、左右の上記側面板部における下端部には上記底面板部を折曲可能とする上記折曲線の延長戦上に上記孔部が穿設され、上記下方の背面板部の下端部には上記脚片部を形成しうる湾曲した切込線が上記折曲線から下縁部まで形成され、
また、上記正面板部と左右の上記側面板部には幅方向に沿って、上下２個所に、夫々折り畳み状態で上記前後の側面部を形成しうる一対の折曲線が設けられると共に、上記左右の側面板部と上記上方の左右背面板部との間には夫々長さ方向に沿って、折り畳み状態で上記左右の側面部を形成しうる折曲線が設けられていることを特徴とする請求項１〜７のいずれか１項に記載されたスタンド式ディスプレイ装置。
【考案の詳細な説明】
【技術分野】
【０００１】
本考案は、折り畳み可能なＰＯＰ用のスタンド式ディスプレイ装置に係り、特に、広告時に使用されるポスターや販促品等の広告媒体を上記スタンド式ディスプレイ装置とは別個に梱包する必要のないスタンド式ディスプレイ装置に関する。
【背景技術】
【０００２】
従来、店頭やキャンペーン会場において床に載置して広告体を表示しうる折畳み可能なスタンド式ディスプレイ装置が存在する（特許文献１及び特許文献２参照）。
上記スタンド式ディスプレイ装置は、広告表示体と、上記広告表示体を裏側から支持しうる支持体と、上記支持体を固定しうる固定部材とにより構成されており、上記広告表示体と、支持体とは一体に貼着されていることから、上記支持体は上記表示体を内装して、一体に折り畳んで箱状に小さく梱包することができる。
【特許文献１】特開２００１−２９０４２４号
【特許文献２】実登３０８９１５７号
【０００３】
ところで、店頭やキャンペーン会場において、上記スタンド式ディスプレイ装置を使用して広告を行うような場合には、上記スタンド式ディスプレイ装置以外にも、ポスターや販促品等の広告媒体を使用して広告活動を行うのが通例である。
しかし、上記特許文献１にかかる技術においては、上記ポスターや販促品等の広告媒体を上記スタンド式ディスプレイ装置と一緒に一体に折り畳んで箱状に梱包するようには形成されていなかった。
【０００４】
したがって、上記広告活動を行う店頭やキャンペーン会場等に上記スタンド式ディスプレイ装置を搬送する場合に、上記ポスターや販促品等を梱包するための箱体などの梱包部材を別途用意し、かつ、別途に搬送しなければならず、コストがかかる上に梱包作業が煩雑であった。
【０００５】
そこで本出願人は、先の出願（実願２００５−００２８４６）により、折り畳み可能で、ポスターや販促品等の広告媒体を一緒に搬送しうるスタンド式ディスプレイ装置を提案した。
上記スタンド式ディスプレイ装置は、折り畳み可能に形成された広告表示部と、上記広告表示部を載置面に対し立設可能に支持しうると共に、上記広告表示部と一体となって折り畳み可能に形成される支持部とを有し、折り畳み時においては、上記支持部は、上記広告表示部を内部に収納しうると共に、広告媒体を収納しうる広告媒体収納部を内部に形成され、上記支持部には、上記支持部に係合して立設状態を保持しうる固定部材が脱着可能に設けられている。
【０００６】
しかしながら、上記スタンド式ディスプレイ装置は、上記広告表示部や上記支持部とは別個に上記固定部材を設けなければならず、部品点数が増加してコストが嵩む上に、上記固定部材を上記支持部に対し係合させる必要があるので、組み立てが煩雑化するという不具合がある。
【考案の開示】
【考案が解決しようとする課題】
【０００７】
本考案の課題は、広告時に使用されるポスターや販促品等の広告媒体を一緒に搬送する場合に、別個に梱包する必要がなく、また、部品点数が減少して、組み立ても容易化するスタンド式ディスプレイ装置を提供することにある。
【課題を解決するための手段】
【０００８】
上記課題を解決するために、本考案に係るスタンド式ディスプレイ装置は、宣伝広告事項を表示しうる広告表示部と、上記広告表示部を目視しうる状態に支持しうる支持部と、  上記支持部が上記広告表示部を支持した状態を保持しうる固定部とが、一体に、かつ折り畳み可能に形成され、上記広告表示部として起立しうる正面板部が設けられ、上記支持部として上記正面板部の幅方向両側に左右の側面板部が設けられ、上記固定部として上記左右の側面板部を連結して固定しうる左右の背面板部とが一体に、かつ折り畳み可能に形成されたことを特徴とする。
【０００９】
すなわち、本考案に係る上記スタンド式ディスプレイ装置にあっては、上記広告表示部として形成された上記正面板部に宣伝広告事項が表示され、上記正面板部は支持部として設けられた左右の上記側面板部により支持されて起立した状態を保持し、上記左右の側面板部は上記固定部として設けられた左右の上記背面板部により連結されて固定されることにより、上記広告表示部は起立した状態を保持することができる。
また、上記広告表示部と上記支持部と上記固定部は一体に形成され、別の固定部材を必要としない。
また、一体に形成された上記正面板部、左右の側面板部及び左右の背面板部は折り畳み可能に形成されていることから、折り畳んで搬送することもでき、その場合に内部にポスターや販促品等の広告媒体を一緒に収納することができる。
【００１０】
また、本考案に係る上記スタンド式ディスプレイ装置は、上記正面板部は方形に形成され、上記左右の側面板部は上記正面板部の長さ方向に沿って上記正面板部の幅方向の左右両端において夫々略直角に後方へ折曲されて連設され、上記背面板部は左右の上記側面板部の幅方向の後端において夫々略直角に内方へ折曲されて連設され、左右の上記背面板部は互いに連結して係合しうるように形成されていることを特徴とする。
【００１１】
すなわち、本考案に係る上記スタンド式ディスプレイ装置にあっては、上記正面板部と、左右の上記側面板部と、左右の上記背面板部は、横断面が略方形となるように配置されることになる。したがって、上記正面板部は安定した起立姿勢を有することができる。
【００１２】
また、本考案に係る上記スタンド式ディスプレイ装置は、左右の上記背面板部は、上記左右の側面板部の長さ方向略中央部と下端部の上下２個所における幅方向両端部において夫々長さ方向に沿って、互いに重なり合うように設けられ、左右の上記背面板部のうちの一方には略コ字状の係止片部が設けられ、他方の背面板部には上記係止片部が挿入可能な係止孔部と、上記係止孔部に挿入された上記係止片部を抜け止めするロック片部が設けられたことを特徴とする。
【００１３】
すなわち、本考案に係る上記スタンド式ディスプレイ装置にあっては、左右の上記背面板部のうちの一方に設けられた上記係止片部が、他方の背面板部に設けられた上記係止孔部に挿入されると共に、上記係止片部が上記ロック片部により抜け止めされて、左右の背面板部の係合状態が固定される。
【００１４】
また、本考案に係る上記スタンド式ディスプレイ装置は、上下２個所の上記背面板部の一方に設けられた上記係止片部、係止孔部及びロック片部と、他方の上記背面板部に設けられた上記係止片部、係止孔部及びロック片部は、互いに直交するように配置されていることを特徴とする。
【００１５】
すなわち、本考案に係る上記スタンド式ディスプレイ装置にあっては、左右の上記背面板部が互いに左右・上下に位置ずれしても、上下２個所に配置されたうちの一方の上記係止片部と上記係止孔部の係合状態が外れにくくなって、上記背面板部による固定が安定する。
【００１６】
また、本考案に係る上記スタンド式ディスプレイ装置は、上記正面板部が起立した状態において、左右の上記側面板部における下端部の後方には脚片部が延設されていることを特徴とする。
【００１７】
すなわち、本考案に係る上記スタンド式ディスプレイ装置にあっては、上記側面板部の下端部に上記脚片部が延設されることから、上記側面板部が床面に対しより長く接地することになり、安定性が向上する。
【００１８】
また、本考案に係る上記スタンド式ディスプレイ装置は、上記正面板部が起立した状態において、下端部の上記左右の側面板部間には、上記正面板部に対し略直角に折曲されて左右の側縁部が上記左右の側面板部の内面に当接すると共に、上記左右の側縁部に形成された突片部が上記左右の側面板部に形成された孔部に係合しうる底面板部が設けられていることを特徴とする。
【００１９】
すなわち、本考案に係る上記スタンド式ディスプレイ装置にあっては、上記底面板部が上記正面板部の下端部において略直角に折り曲げられ、左右の上記側面板部の間に配置されることから、左右の上記側面板部が内方へ変位しにくくなる。したがって、下端部が上記底面板部により補強され、形状安定性が良化する。
【００２０】
また、本考案に係る上記スタンド式ディスプレイ装置は、折り畳み状態においては、略正方形の底面部、横長略長方形の前後左右の各側面部、及び前後左右の各蓋部を有して、内部に収納空間を有する箱状体が形成されることを特徴とする。
【００２１】
すなわち、本考案に係る上記スタンド式ディスプレイ装置にあっては、折り畳むことにより箱状に変化させることができることから、店頭やキャンペーン会場等へ搬送する場合に、箱状にして内部にポスターや販促品等を収納して一緒に送ることができる。
【００２２】
また、本考案に係る上記スタンド式ディスプレイ装置は、一枚の紙製の板状部材を折り曲げることにより組み立てられ、上記板状部材は展開状態において、中央部に上記正面板部が配置され、上記正面板部の幅方向における左右外方には夫々折曲線を介して長さ方向に沿って上記の左右側面板部が配置され、左右の上記側面板部の幅方向外方には長さ方向の略中央部と下端部の上下２個所に夫々折曲線を介して上記背面板部が延設され、上記背面板部には上記係止片部と上記ロック片部が切込線と折曲線とにより折り起こし可能に形成されると共に上記係止孔部が穿設され、上記正面板部の下端部には幅方向に沿って設けられた折曲線を介して、幅方向両端に僅かに外方へ傾斜した切込線を長さ方向に沿って有する上記底面板部が配置され、左右の上記側面板部における下端部には上記底面板部を折曲可能とする上記折曲線の延長戦上に上記孔部が穿設され、上記下方の背面板部の下端部には上記脚片部を形成しうる湾曲した切込線が上記折曲線から下縁部まで形成され、
また、上記正面板部と左右の上記側面板部には幅方向に沿って、上下２個所に、夫々折り畳み状態で上記前後の側面部を形成しうる一対の折曲線が設けられると共に、上記左右の側面板部と上記上方の左右背面板部との間には夫々長さ方向に沿って、折り畳み状態で上記左右の側面部を形成しうる折曲線が設けられていることを特徴とする。
【００２３】
すなわち、本考案に係る上記スタンド式ディスプレイ装置にあっては、一枚の紙製の板状部材を展開状態から、上記正面板部と左右の上記側面板部との間に設けられた上記折曲線等で曲げることにより、上記正面板部を起立させ上記広告表示部として使用しうるように組み立てることができる。
また、搬送する場合は、上記の展開状態から、上記板状部材を、上記正面板部と左右の上記側面板部には幅方向に沿って設けられた折曲線や、左右の上記側面板部と上記上方の左右背面板部との間に設けられた上記折曲線で折り曲げることにより、容易に上記箱状体に変化させることができる。
【考案の効果】
【００２４】
請求項１記載の本考案に係るスタンド式ディスプレイ装置は、宣伝広告事項を表示しうる広告表示部と、上記広告表示部を目視しうる状態に支持しうる支持部と、上記支持部が上記広告表示部を支持した状態を保持しうる固定部とが、一体に、かつ折り畳み可能に形成されていることから、上記広告表示部や上記支持部とは別個に固定部材を設ける必要がなく、部品点数を減少してコストを低減することができると共に、固定部材を上記支持部に対し係合させる必要もないので、組み立てが容易化する。
また、上記広告表示部として起立しうる正面板部が設けられ、上記支持部として上記正面板部の幅方向両側に左右の側面板部が設けられ、上記固定部として上記左右の側面板部を連結して固定しうる左右の背面板部とが一体に、かつ折り畳み可能に形成されたことから、上記正面板部と、上記左右の側面板部と、上記左右の背面板部とにより、上記広告表示部と、上記支持部と、上記固定部とを容易に形成することができる。
【００２５】
請求項２記載の本考案に係るスタンド式ディスプレイ装置は、上記正面板部は方形に形成され、上記左右の側面板部は上記正面板部の長さ方向に沿って上記正面板部の幅方向の左右両端において夫々略直角に後方へ折曲されて連設され、上記背面板部は左右の上記側面板部の幅方向の後端において夫々略直角に内方へ折曲されて連設され、左右の上記背面板部は互いに連結して係合しうるように形成されていることから、上記側面板部と上記背面板部は固定された状態で横断面形状が略コ字状となって上記正面板部を支持することになるので、上記正面板部の起立状態が安定する。
【００２６】
請求項３記載の本考案に係るスタンド式ディスプレイ装置は、左右の上記背面板部は、上記左右の側面板部の長さ方向略中央部と下端部の上下２個所における幅方向両端部において夫々長さ方向に沿って、互いに重なり合うように設けられ、左右の上記背面板部のうちの一方には略コ字状の係止片部が設けられ、他方の背面板部には上記係止片部が挿入可能な係止孔部と、上記係止孔部に挿入された上記係止片部を抜け止めするロック片部が設けられたことから、上記係止片部を上記係止孔部に挿入することにより上記左右の背面板部を容易に係合連結させてて上記左右の側面板部を容易に固定することができる。
また、上記ロック片部により上記係止片部が上記係止孔部から安易に外れなくなるので、上記左右の背面板部の係合状態が安定する。
【００２７】
請求項４記載の本考案に係るスタンド式ディスプレイ装置は、上下２個所の上記背面板部の一方に設けられた上記係止片部、係止孔部及びロック片部と、他方の上記背面板部に設けられた上記係止片部、係止孔部及びロック片部は、互いに直交するように配置されていることから、上記左右の背面板部が互いに左右方向又は上下方向に位置ずれした場合であっても、上下いずれか一方の上記係止片部、係止孔部及びロック片部は係合状態を維持することができるので、上記背面板部による上記側面板部の固定が損なわれることがない。
【００２８】
請求項５記載の本考案に係るスタンド式ディスプレイ装置は、上記正面板部が起立した状態において、左右の上記側面板部における下端部の後方には脚片部が延設されていることから、左右の上記側面板部に加えて上記脚片部も上記正面板部を支持することになるので、上記正面板部の起立状態が安定し、より転倒しにくくなる。
【００２９】
請求項６記載の本考案に係るスタンド式ディスプレイ装置は、上記正面板部が起立した状態において、下端部の上記左右の側面板部間には、上記正面板部に対し略直角に折曲されて左右の側縁部が上記左右の側面板部の内面に当接すると共に、上記左右の側縁部に形成された突片部が上記左右の側面板部に形成された孔部に係合しうる底面板部が設けられていることから、上記底面板部により上記左右の側面板部の下端部が内方から支持されて補強されるので、上記左右の側面板部の下端部が内方へ傾斜して不安定な形状になるのを防止することができる。
【００３０】
請求項７記載の本考案に係るスタンド式ディスプレイ装置は、折り畳み状態においては、略正方形の底面部、横長略長方形の前後左右の各側面部、及び前後左右の各蓋部を有して、内部に収納空間を有する箱状体が形成されることから、店頭やキャンペーン会場に搬送する場合や撤収する場合に、ポスターや販促品等を上記箱状体の内部に収納して搬送できるので、別途梱包して搬送する無駄を省くことができる。
【００３１】
請求項８記載の本考案に係るスタンド式ディスプレイ装置は、一枚の紙製の板状部材を折り曲げることにより組み立てられ、上記板状部材は展開状態において、中央部に上記正面板部が配置され、上記正面板部の幅方向における左右外方には夫々折曲線を介して長さ方向に沿って上記の左右側面板部が配置され、左右の上記側面板部の幅方向外方には長さ方向の略中央部と下端部の上下２個所に夫々折曲線を介して上記背面板部が延設され、上記背面板部には上記係止片部と上記ロック片部が切込線と折曲線とにより折り起こし可能に形成されると共に上記係止孔部が穿設され、上記正面板部の下端部には幅方向に沿って設けられた折曲線を介して、幅方向両端に僅かに外方へ傾斜した切込線を長さ方向に沿って有する上記底面板部が配置され、左右の上記側面板部における下端部には上記底面板部を折曲可能とする上記折曲線の延長戦上に上記孔部が穿設され、上記下方の背面板部の下端部には上記脚片部を形成しうる湾曲した切込線が上記折曲線から下縁部まで形成されていることから、上記板状部材を上記折曲線位置で折り曲げて組み立てることにより、店頭やキャンペーン会場等に展示できる状態に容易に完成させることができる。
また、上記板状部材は、上記正面板部と左右の上記側面板部には幅方向に沿って、上下２個所に、夫々折り畳み状態で上記前後の側面部を形成しうる一対の折曲線が設けられると共に、上記左右の側面板部と上記上方の左右背面板部との間には夫々長さ方向に沿って、折り畳み状態で上記左右の側面部を形成しうる折曲線が設けられていることから、上記板状部材を上記折曲線位置で折り曲げて折り畳むことにより、内部にポスターや販促品を収納して搬送する形状に容易に変化させることができる。
【考案を実施するための最良の形態】
【００３２】
以下、図面を用いて本発明の実施の形態について説明する。
本実施の形態に係るスタンド式ディスプレイ装置１１は、図１及び図２に示すように、宣伝広告事項を表示しうる広告表示部１２と、上記広告表示部１２を目視しうる状態に支持しうる支持部１４，１５と、上記支持部１４，１５が上記広告表示部１２を支持した状態を保持しうる固定部１８，１９とが、一体に、かつ折り畳み可能に形成され、上記広告表示部１２として起立しうる正面板部１３が設けられ、上記支持部１４，１５として上記正面板部１３の幅方向両側に左右の側面板部１６，１７が設けられ、上記固定部１８，１９として上記左右の側面板部１６，１７を連結して固定しうる左右の背面板部２０，２１，２２，２３とが一体に、かつ折り畳み可能に形成されている。    
また、図１及び図２に示すように、上記正面板部１３は方形に形成され、上記左右の側面板部１６，１７は上記正面板部１３の長さ方向に沿って上記正面板部１３の幅方向の左右両端において夫々略直角に後方へ折曲されて連設され、上記背面板部２０，２１，２２，２３は左右の上記側面板部１６，１７の幅方向の後端において夫々略直角に内方へ折曲されて連設され、左右の上記背面板部２０，２１，２２，２３は互いに連結して係合しうるように形成されている。
【００３３】
また、図２に示すように、左右の上記背面板部２０，２１，２２，２３は、上記左右の側面板部１６，１７の長さ方向略中央部と下端部の上下２個所における幅方向両端部において夫々長さ方向に沿って、互いに重なり合うように設けられ、左右の上記背面板部２０，２１，２２，２３のうちの一方には略コ字状の係止片部２４，２５，２６が設けられ、他方の背面板部２０，２１，２２，２３には上記係止片部２４，２５，２６が挿入可能な係止孔部２７，２８，２９と、上記係止孔部２７，２８，２９に挿入された上記係止片部２４，２５，２６を抜け止めするロック片部３０，３１，３２が設けられている。
また、図２に示すように、上下２個所の上記背面板部２０，２１，２２，２３の一方に設けられた上記係止片部２４，２５，２６、係止孔部２７，２８，２９及びロック片部３０，３１，３２と、他方の上記背面板部２０，２１，２２，２３に設けられた上記係止片部２４，２５，２６、係止孔部２７，２８，２９及びロック片部３０，３１，３２は、互いに直交するように配置されている。
【００３４】
また、図１及び図２に示すように、上記正面板部１３が起立した状態において、左右の上記側面板部１６，１７における下端部の後方には脚片部３９，４０が延設されている。
また、上記正面板部１３が起立した状態において、下端部の上記左右の側面板部１６，１７間には、上記正面板部１３に対し略直角に折曲されて左右の側縁部が上記左右の側面板部１６，１７の内面に当接すると共に、上記左右の側縁部に形成された突片部４１，４２が上記左右の側面板部１６，１７に形成された孔部４３，４４に係合しうる底面板部４５が設けられている。
【００３５】
また、上記ディスプレイ装置１１は、図５〜図７に示すように、折り畳み状態においては、略正方形の底面部８４、横長略長方形の前後左右の各側面部８５，８６，８７，８８、及び前後左右の各蓋部８９，９０，９１，９２を有して、内部に収納空間９３を有する箱状体８３が形成されるように構成されている。
【００３６】
また、上記ディスプレイ装置１１は、図４に示すように、一枚の紙製の板状部材４６を折り曲げることにより組み立てられ、上記板状部材４６は展開状態において、中央部に上記正面板部１３が配置され、上記正面板部１３の幅方向における左右外方には夫々折曲線４７，４８を介して長さ方向に沿って上記の左右側面板部１６，１７が配置され、左右の上記側面板部１６，１７の幅方向外方には長さ方向の略中央部と下端部の上下２個所に夫々折曲線４９，５０，５１，５２を介して上記背面板部２０，２１，２２，２３が延設され、上記背面板部２０，２１，２２，２３には上記係止片部２４，２５，２６と上記ロック片部３０，３１，３２が切込線５３．５４．５５．５６．５７．５８．５９．６０．６１．６２．６３．６４と折曲線６５，６６，６７，６８，６９，７０，７１，７２，７３とにより折り起こし可能に形成されると共に上記係止孔部２７，２８，２９が穿設され、上記正面板部１３の下端部には幅方向に沿って設けられた折曲線７４を介して、幅方向両端に僅かに外方へ傾斜した切込線９５，９６を長さ方向に沿って有する上記底面板部４５が配置され、左右の上記側面板部１６．１７における下端部には上記底面板部４５を折曲可能とする上記折曲線７４の延長戦上に上記孔部４３，４４が穿設され、上記下方の背面板部２２，２３の下端部には上記脚片部３９，４０を形成しうる湾曲した切込線７５，７６が上記折曲線７４から下縁部まで形成されている。
また、上記正面板部１３と左右の上記側面板部１６，１７には幅方向に沿って、上下２個所に、夫々折り畳み状態で上記前後の側面部８５，８６を形成しうる一対の折曲線７７，７８，７９，８０が設けられると共に、上記左右の側面板部１６，１７と上記上方の左右背面板部２０．２１との間には夫々長さ方向に沿って、折り畳み状態で上記左右の側面部８７，８８を形成しうる折曲線８１，８２が設けられている。
【実施例１】
【００３７】
図は実施例に係るスタンド式ディスプレイ装置１１を示したものである。
本実施例に係るディスプレイ装置１１は、図１及び図２に示すように、店頭やキャンペーン会場等の床上に起立するように設置されて、商品の宣伝広告活動を行いうるように形成されている。
【００３８】
上記ディスプレイ装置１１は、図１に示すように、起立して宣伝広告事項を表示する部位として広告表示部１２を有している。
上記広告表示部１２として、縦長長方形に形成された正面板部１３が目視しうる状態に設けられている。
【００３９】
また、上記ディスプレイ装置１１は、図１及び図２に示すように、上記広告表示部１２を支持して起立状態を保持しうる支持部１４，１５を有している。
上記支持部１４，１５として、上記正面板部１３の幅方向両側に、上記正面板部１３と高さ寸法が同一で、縦長長方形に形成された左右の側面板部１６，１７が、上記正面板部１３の長さ方向に沿って設けられている。
上記側面板部１６，１７は、上記正面板部１３に対し後方へ略直角（僅かに鈍角）に折曲されている。
【００４０】
また、上記ディスプレイ装置１１は、図２に示すように、上記支持部１４，１５が上記広告表示部１２を支持した状態を固定しうる固定部１８，１９を有している。
上記固定部１８，１９として、上記左右の側面板部１６，１７を連結して固定しうる左右の背面板部２０，２１，２２，２３が設けられている。
上記背面板部２０，２１，２２，２３は、左右の上記側面板部１６，１７の幅方向の後端において夫々略直角に内方へ折曲されて連設されている。
なお、左右の上記背面板部２０，２１，２２，２３は、上記左右の側面板部１６，１７の長さ方向略中央部と下端部の上下２個所における幅方向両端部において夫々長さ方向に沿って、互いに折り重ねうるように設けられている。
【００４１】
左右の上記背面板部２０，２１，２２，２３は、図２に示すように、互いに連結して係合しうるように形成されている。
すなわち、左右の上記背面板部２０，２１，２２，２３のうちの一方には略コ字状の係止片部２４，２５，２６が設けられ、上記背面板部２０，２１，２２，２３の他方には上記係止片部２４，２５，２６が挿入可能な係止孔部２７，２８，２９と、上記係止孔部２７，２８，２９に挿入された上記係止片部２４，２５，２６を抜け止めしうるロック片部３０，３１，３２が設けられている。
なお、上記係止片部２４，２５，２６と、上記ロック片部３０，３１，３２には、折り起こす場合に指を挿入可能な指掛孔３３，３４，３５，３６，３７，３８が設けられている。
上記係止孔部２７，２８，２９は上記ロック片部３０，３１，３２を折り起こすことにより開口する。その状態で、内側から折り起こした上記係止片部２４，２５，２６を上記係止孔部２７，２８，２９に挿入し、その後に、上記ロック片部３０，３１，３２を再び元の状態に戻せば、上記係止片部２４，２５，２６と上記係止孔部２７，２８，２９は互いに係合して、上記係止片部２４，２５，２６は上記ロック片部３０，３１，３２により抜け止めされる。
【００４２】
図２に示すように、上下２個所のうちの上方の上記背面板部２０，２１に設けられた上記係止片部２４，２５、係止孔部２７，２８及びロック片部３０，３１は長さ方向に沿って形成され、下方の上記背面板部２２，２３に設けられた上記係止片部２６、係止孔部２９及びロック片部３２は幅方向に沿って形成され、両者は互いに直交するように配置されている。
【００４３】
図１及び図２に示すように、上記正面板部１３が起立した状態において、左右の上記側面板部１６，１７における下端部の後方には脚片部３９，４０が延設されている。
【００４４】
また、上記正面板部１３が起立した状態において、下端部の上記左右の側面板部１６，１７間には、上記正面板部１３に対し略直角に折曲されて左右の側縁部が上記左右の側面板部１６，１７の内面に当接すると共に、上記左右の側縁部に形成された突片部４１，４２が上記左右の側面板部１６，１７に形成された孔部４３，４４に係合しうる底面板部４５が設けられている。
【００４５】
上記ディスプレイ装置１１は、図４に示す如く裁断された１枚の厚紙（段ボール）製の板状部材４６を折り曲げて組み立てることにより形成される。
すなわち、上記板状部材４６は、図４に示す展開状態において、中央部に上記正面板部１３が配置され、上記正面板部１３の幅方向における左右外方には夫々折曲線４７，４８を介して長さ方向に沿って上記の左右側面板部１６，１７が配置されている。
【００４６】
また、左右の上記側面板部１６，１７の幅方向外方には、長さ方向の略中央部と下端部の上下２個所に夫々折曲線４９，５０，５１，５２を介して上記背面板部２０，２１，２２，２３が延設されている。
上記背面板部２０，２１，２２，２３には、上記係止片部２４，２５，２６と、上記ロック片部３０，３１，３２とが、切込線５３，５４，５５，５６，５７，５８，５９，６０，６１，６２，６３，６４と、折曲線とにより折り起こし可能に形成されると共に、上記係止孔部２７，２８，２９が穿設されている。
【００４７】
また、上記正面板部１３の下端部には幅方向に沿って設けられた折曲線７４を介して、幅方向両端に僅かに外方へ傾斜した切込線９５，９６を長さ方向に沿って有する上記底面板部４５が配置され、左右の上記側面板部１６，１７における下端部には、上記底面板部４５を折曲可能とする上記折曲線７４の延長戦上に上記孔部４３，４４が穿設されている。    
また、上記下方の背面板部２２，２３の下端部には、上記脚片部３９を形成しうる湾曲した切込線７５，７６が上記折曲線７４から下縁部まで形成されている。
【００４８】
また、上記正面板部１３と左右の上記側面板部１６，１７には、幅方向に沿って、上下２個所に夫々一対の折曲線７７，７８，７９，８０が設けられると共に、上記左右の側面板部１６，１７と上記上方の左右背面板部２０，２１との間には夫々長さ方向に沿って折曲線８１，８２が設けられている。
【００４９】
上記ディスプレイ装置１１は、折り畳み可能に形成され、図５〜図７に示すように、折り畳むことにより箱状体８３を形成することができる。
上記箱状体８３は、略正方形の底面部８４、横長略長方形の前後左右の各側面部８５，８６，８７，８８、及び前後左右の各蓋部８９，９０，９１，９２を有して、内部に収納空間９３を有している。
したがって、店頭やキャンペーン会場等へ搬送する場合や撤収する場合は、上記箱状体８３の内部の上記収納空間９３にポスターや販促品等の広告媒体を収納して、そのまま搬送しうる包装ケース９４として使用することができる。
【００５０】
次に、上記実施例の作用について説明する。
上記実施例に係るディスプレイ装置１１は、図１及び図２に示す形状に組み立てられ、店頭やキャンペーン会場等の床上に立設されて、宣伝広告活動を行うことができる。
上記ディスプレイ装置１１には、広告表示部１２として起立しうる正面板部１３が設けられているので、上記正面板部１３に広告宣伝事項を表示することができる。
【００５１】
上記正面板部１３は上記側面板部１６，１７により支持されて起立した姿勢を保持することができる。
また、上記側面板部１６，１７は上記背面板部２０，２１，２２，２３により固定されて、正面板部１３を支持した状態を保持することができる。
左右の上記背面板部２０，２１，２２，２３は互いに連結することにより上記側面板部１６，１７の固定状態を保持する。
左右の上記背面板部２０，２１，２２，２３は、上記係止片部２４，２５，２６と上記係止孔部２７，２８，２９との係合により連結状態が保持される。
また、上記ロック片部３０，３１，３２により係止孔部２７，２８，２９からの係止片部２４，２５，２６の抜け出しが防止される。
【００５２】
また、上記ディスプレイ装置１１は、上記脚片部３９，４０により起立した姿勢が安定する。また、上記底面板部４５により上記側面板部１６，１７の下端部が補強され潰れにくくされている。したがって、形状安定性が良好である。
【００５３】
上記ディスプレイ装置１１は、広告表示部１２、支持部１４，１５及び固定部１８，１９が一体に形成され、図４に示した板状部材４６を折り曲げて、上記係止片部２４，２５，２６と上記係止孔部２７，２８，２９とを係合させる等の作業のみで容易に形成することができる。
したがって、別部材を汲み付ける等の工程上の煩雑がなく、部品点数も減少するので、コストの低減を図ることができる。
【００５４】
また、上記ディスプレイ装置１１は、折り畳んで、図７に示すような箱状体８３を形成することができることから、展示するために店頭やキャンペーン会場等へ搬送する場合に、一緒に展示するポスターや販促品等の広告媒体を上記箱状体８３の内部の収納空間９３に収めて送ることができる。
したがって、上記広告媒体を別個梱包して搬送する煩雑がなくなる。
【産業上の利用可能性】
【００５５】
本考案は、ＰＯＰ用のスタンド式ディスプレイ装置に適用可能である。
【図面の簡単な説明】
【００５６】
【図１】本考案の実施例に係るディスプレイ装置の正面側の斜視図である。
【図２】本考案の実施例に係るディスプレイ装置の背面側の斜視図である。
【図３】本考案の実施例に係るディスプレイ装置の組み立て過程を示す背面側の斜視図である。
【図４】本考案の実施例に係るディスプレイ装置の展開状態を示す平面図である。
【図５】本考案の実施例に係るディスプレイ装置を折り畳んで箱状体を形成する過程を示す斜視図である。
【図６】本考案の実施例に係るディスプレイ装置を折り畳んで箱状体を形成する過程を示す斜視図である。
【図７】本考案の実施例に係るディスプレイ装置を折り畳んで形成した箱状体の斜視図である。
【符号の説明】
【００５７】
１１  ディスプレイ装置
１２  広告表示部
１３  正面板部
１４  支持部
１５  支持部
１６  側面板部
１７  側面板部
１８  固定部
１９  固定部
２０  背面板部
２１  背面板部
２２  背面板部
２３  背面板部
２４  係止片部
２５  係止片部
２６  係止片部
２７  係止孔部
２８  係止孔部
２９  係止孔部
３０  ロック片部
３１  ロック片部
３２  ロック片部
３３  指掛孔
３４  指掛孔
３５  指掛孔
３６  指掛孔
３７  指掛孔
３８  指掛孔
３９  脚片部
４０  脚片部
４１  突片部
４２  突片部
４３  孔部
４４  孔部
４５  底面板部
４６  板状部材
４７  折曲線
４８  折曲線
４９  折曲線
５０  折曲線
５１  折曲線
５２  折曲線
５３  切込線
５４  切込線
５５  切込線
５６  切込線
５７  切込線
５８  切込線
５９  切込線
６０  切込線
６１  切込線
６２  切込線
６２  切込線
６３  切込線
６４  切込線
６５  折曲線
６５  折曲線
６７  折曲線
６８  折曲線
６９  折曲線
７０  折曲線
７１  折曲線
７２  折曲線
７３  折曲線
７４  折曲線
７５  切込線
７６  切込線
７７  折曲線
７８  折曲線
７９  折曲線
８０  折曲線
８１  折曲線
８２  折曲線
８３  箱状体
８４  底面部
８５  側面部
８６  側面部
８７  側面部
８８  側面部
８９  蓋部
９０  蓋部
９１  蓋部
９２  蓋部
９３  収納空間
９４  包装ケース
９５  切込線
９６  切込線
【図１】
0003126895.tif 000003
【図２】
0003126895.tif 000004
【図３】
0003126895.tif 000005
【図４】
0003126895.tif 000006
【図５】
0003126895.tif 000007
【図６】
0003126895.tif 000008
【図７】
0003126895.tif 000009